(57)【要約】【課題】排泄物による自身の健康状態が容易に確認できる健康見張り窓付き大便器を提供すること。【解決手段】便器本体２の後方側内側面に設けられた鏡３３と、便器本体２の前方側壁に形成された窓穴５と、内側に反射鏡８が設けられている窓穴５を開閉するための扉６とを有する。【選択図】図３
2013023928.tif 000002
【特許請求の範囲】
【請求項１】
便器本体の後方側内側面に設けられた鏡と、
便器本体の前方側壁に形成された窓穴と、
内側に反射鏡が設けられている前記窓を開閉するための扉と、
を有する健康見張り窓付き大便器。
【請求項２】
前記窓穴が、スイッチによって、いつでも開くことも、閉じておくことも、出来る扉が付いている請求項１記載の健康見張り窓付き大便器。
【請求項３】
前記窓穴は、電磁気、または、電動モーターを活用し、スイッチーつで、いつでも開くことも、閉じておくことも、自動開閉も出来、また、閉じたまま、使用することも出来る扉が付いている請求項１又は２記載の健康見張り窓付き大便器。
【請求項４】
明るさの調整と消灯と点灯可能なランプを、大便器の中に付けることにより、便器内の排泄物をはっきり確認できる請求項１ないし３のいずれか１項記載の健康見張り窓付き大便器。
【発明の詳細な説明】
【技術分野】
【０００１】
本発明は、健康見張り窓付き大便器に係り、より詳細には、座ったままで、大便器の便器本体の外側から便器本体の内側の排泄物が見えるようにした健康見張り窓付き大便器に関するものである。
【背景技術】
【０００２】
便座に座りながら、排泄物を見ることが出来る観察窓を付けた技術。
【先行技術文献】
【特許文献】
【０００３】
【特許文献１】特開２００８−２８５９７８号公報
【発明の概要】
【発明が解決しようとする課題】
【０００４】
今日の大便器には、多種多様の機能が付いている。しかし、自身の排泄物を確認すること無く、流している。何故か、それは、見にくいからである。
【課題を解決するための手段】
【０００５】
本発明は、便器本体の後方側内側面に設けられた鏡と、
便器本体の前方側壁に形成された窓穴と、
内側に反射鏡が設けられている前記窓穴を開閉するための扉と、
を有する健康見張り窓付き大便器である。
洋式大便器に座ったままで、大便器の外側から、便器内側の排泄物が、見えて確認出来る窓が付いている便器である。これにより、便座に座りながら、排泄物を見ることが出来る観察窓を付けることによって、自身の排泄物を確認出来る。
【０００６】
請求項２に係る発明は、前記窓穴が、スイッチによって、いつでも開くことも、閉じておくことも、出来る扉が付いている請求項１記載の健康見張り窓付き大便器である。
請求項３に係る発明は、前記窓穴は、電磁気、または、電動モーターを活用し、スイッチーつで、いつでも開くことも、閉じておくことも、自動開閉も出来、また、閉じたまま、使用することも出来る扉が付いている請求項１又は２記載の健康見張り窓付き大便器である。
請求項４に係る発明は、明るさの調整と消灯と点灯可能なランプを、大便器の中に付けることにより、便器内の排泄物をはっきり確認できる請求項１ないし３のいずれか１項記載の健康見張り窓付き大便器である。本発明によれば暗いところでも内部を、はっきりと見ることが出来るようになる。
【発明の効果】
【０００７】
昔から、人は自身の排泄物からでも、健康状態を把握してきた。
【０００８】
本発明の健康見張り窓付き大便器によって、排泄物による自身の健康状態が容易に確認できる、効果がある。
【図面の簡単な説明】
【０００９】
【図１】参考例に係る健康見張り窓付き大便器の、断面図である。
【図２】図１の窓取り付け部の拡大図である。
【図３】本発明の実施例に係る健康見張り窓付き大便器の、断面図である。
【発明を実施するための形態】
【実施例】
【００１０】
（参考例）
図１に基づき参考例を明記する。
【００１１】
本参考例の便器は、洋式大便器２に座ったままで、大便器２の外側から、便器内側の排泄物７が、見えて確認出来る窓穴５と扉６とからなる見張り窓が前側面に付いている。
【００１２】
洋式大便器２に座ったままで、大便器本体２の外側から、便器内側の排泄物７が、見えて確認できる窓穴５が、スイッチによって、いつでも開くことも、閉じておくことも出来、手動スイッチでもいいし、電動スイッチでもいい、窓穴５が便器の前に付いている。
【００１３】
洋式大便器２に窓穴５を開けて、その窓穴５にプリズム４を装着し、開閉可能な蓋６の裏面に反射鏡８を取り付け、これにより排泄物７がプリズム４を介して、確認する為の鏡３に、光９が人に入射して写るようにしたことを特徴とする、健康見張り窓付き大便器。
【００１４】
本参考例では、洋式大便器本体２の見張り窓は、電磁気、または、電動モーターを活用し、スイッチーつで、いつでも開くことも、閉じておくことも、自動開閉も出来、また、閉じたまま、使用することも出来る窓が付いている。
【００１５】
手動の場合は外側に、とって１１を設けておけばよい。
【００１６】
電動の場合は、図２の拡大図の電動開閉作動ロット１２に示すように、電動開閉作動ロット１２が見張り窓を電気で動かす。
【００１７】
本参考例では、明るさの調整と消灯と点灯可能なランプを、大便器の中にランプを付けることにより、便器内の排泄物７をはっきり確認できる。
【００１８】
ランプの消灯と点灯は、手動で行ってもよいが、自動的に窓が開くと同時に点灯と、窓を閉じると同時に消灯するようにしてもよい。
【００１９】
手動の場合はリモートコントロールで明るさの調整と点灯、消灯を行うようにしてもよい。
（実施例）
図３に基づき本発明の実施例を説明する。
参考例と同一部材は同一の符号を付し、また、参考例と同一の構成は説明を省略し、主に参考例との相違点を説明する。
本実施例の大便器は、便器本体２の後方側内側面に設けられた鏡３３と、便器本体２の前方側壁に形成された窓穴５と、内側に反射鏡８が設けられている窓穴５を開閉するための扉６とを有する。
参考例においては、窓穴５にプリズム４を設けていたが、本例では、窓穴にはプリズムを設ける必要は無い。窓穴を介しての臭い拡散防止のためガラスなどを設けておいてもよい。
本例では、参考例における反射鏡８を設ける必要はない。
本例の便器本体２の前方側においては、参考例からプリズム４と反射鏡８を取り除いた構造となっている。
一方、本例の便器本体２の後方側においては、便器本体２のない側面に鏡３３を設けてある。この鏡３３は平面鏡でよい。凹面鏡あるいは凸面鏡を用いてもよい。
本例では、排泄物７の光の経路は、鏡３３において反射し、次いで、窓穴５を介して鏡３に達し、鏡３において反射後に便器に座っている人間に達する。
この際、鏡３、鏡３３の取り付け角度や鏡の種類を適宜調整することにより光が人間の目に達するようにすればよい。例えば、（１）鏡３３の取り付け角度、すなわち、鏡面と水平方向とのなす角度を適宜変化させる、（２）扉６の開閉角度（図３におけるθ）を適宜変化させる、（３）鏡３や鏡３３を凹面鏡あるいは凸面鏡とする、（４）前記（１）〜（３）を  組み合わせるなどを行えばよい。
本例の大便器では、プリズムや反射鏡を設ける必要がないため簡素な構造とすることができる。
【産業上の利用可能性】
【００２０】
特に、病院などの利用が増える。
【符号の説明】
【００２１】
１  便器蓋
２  便器本体
３  鏡
４  プリズム
５  窓穴
６  扉
７  排出物
８  反射鏡
９  写体可視経路
１０  ランプ
１１  とって
１２  電動開閉作動ロット
１３  パッキン
１４  床
３３  鏡
【図１】
2013023928.tif 000003
【図２】
2013023928.tif 000004
【図３】
2013023928.tif 000005